(57)【要約】【課題】設置作業の容易性、安全性を向上すると共に、一部の柱部材又は横部材の取り替えも容易に低コストででき、また、木製の柱部材が腐りにくい差し込み式の柵を開発する。【解決手段】上面から連結プレートを立設した基礎ブロック（１）と、下端に連結プレート（４）を差し込む切込（８）を有し、中間部に横部材（３）を差し込む孔（９）を有する柱部材（２）と、柱部材の孔に挿通して柱部材どうしを連結する棒状の横部材（３）とからる柵である。基礎ブロック（１）を連結プレート（４）が地上に露出するように埋設し、連結プレート（４）を柱部材（２）の切込（８）に差し込んで柱部材（２）を立設し、柱部材の孔（９）に横部材を挿通して柱部材どうしを横部材で連結する構成であるので、柱部材及び横部材を設置する前に掘削穴を埋め戻すことができて設置作業が容易、安全になり、部材の取り替えの際も、柱部材を連結プレートから取り外すせばよいので、地面を掘り起こしたり、基礎を壊す必要がない。【選択図】      図３
2004339882.tif 000002
【特許請求の範囲】
【請求項１】
上面から連結プレート（４）を立設した基礎ブロック（１）と、
下端に前記連結プレート（４）を差し込む切込（８）を有し、中間部に横部材（３）を差し込む孔（９）を有する柱部材（２）と、
前記柱部材（２）の孔（９）に挿通して柱部材（２）どうしを連結する棒状の横部材（３）とからなり、
前記基礎ブロック（１）を前記連結プレート（４）が地上に露出するように埋設し、前記連結プレート（４）を前記柱部材（２）の切込（８）に差し込んで柱部材（２）を立設し、柱部材（２）の孔（９）に前記横部材（３）を挿通して柱部材（２）どうしを横部材（３）で連結してなることを特徴とする柵
【請求項２】
請求項１の柵において、前記基礎ブロック（１）がコンクリート製、前記連結プレート（４）が金属製、前記柱部材（２）及び横部材（３）が木製であることを特徴とする柵
【請求項３】
請求項１又は２の柵において、前記柱部材（２）の孔（９）が貫通孔であり、該貫通孔の向きと前記切込（８）の向きが共に柵の長さ方向となっていることを特徴とする柵
【請求項４】
請求項１又は２の柵において、前記柱部材（２）の孔（９）が端部の柱部材（２’）においては非貫通孔、中間部の柱部材（２）においては貫通孔であり、これらの孔（９）の向きと、前記切込（８）の向きが共に柵の長さ方向となっていることを特徴とする柵
【請求項５】
請求項１〜４のいずれかの柵において、前記基礎ブロック（１）の上面に突出部（５）を形成し、前記連結プレート（４）がこの突出部（５）上面から上方に向かって立設され、この突出部（５）が地上から露出するように基礎ブロックが埋設されることを特徴とする柵
【請求項６】
請求項５の柵において、前記突出部（５）の水平断面形状が前記柱部材（２）の水平面形状とほぼ同じであることを特徴とする柵
【発明の詳細な説明】
【０００１】
【発明の属する技術分野】
本発明は、敷地の境界や段差部分などに設置する柵で、特に横部材を柱部材に差し込むタイプ（差し込み式）の柵に関するものである。
【０００２】
【従来の技術】
図８、９は従来のＰＣ擬木（プレキャストコンクリート製の木材に似せて製造した部材）の柵の例を示している。この柵は基礎ブロック２１、柱部材２２、横部材２３などからなる。基礎ブロックはプレキャストコンクリート製、柱部材と横部材はＰＣ擬木である。地面を掘削して掘削穴１２を形成し、砕石地業２８、捨てコンクリート２９など必要に応じて適宜な地業を行い、その上に基礎ブロック２１を設置する。基礎ブロック２１の空所２４に柱部材２２’（符号２２’は端部、２２は中間部の柱部材）を入れ、隙間にクサビ２７を打ち込んで垂直に仮固定して柱部材を立設する。次に、図９に示すように、柱部材２２と横部材２３とを組み合わせた状態で隣の柱部材２２を基礎ブロック２１の中に立て込み、クサビを打ち込んで柱部材を仮固定する。同様にして順次柱部材と横部材を組み立てていく。柱部材と基礎ブロックの隙間にはモルタル２５を充填し、柱部材と横部材の間にはモルタル２６を充填して固定する。掘削穴１２を埋め戻して図８に示す柵が完成する。
【０００３】
図１０は木製の柵の例の説明図である。柱部材３２及び横部材３３は丸太材を使用している。地面を掘削して掘削穴１２を形成し、砕石地業２８など必要に応じて適宜な地業を行い、その上に柱部材３２と横部材３３とを組み合わせながら柱部材を載せていく。このとき、適宜支え部材（図示せず）で支えて倒れないように仮固定する。柱部材３１の根元を型枠で囲い、コンクリートを打設し、硬化後型枠を脱型し、基礎コンクリート３１を形成し、最後に掘削穴１２を埋め戻して図１０に示す柵が完成する。
【０００４】
【発明が解決しようとする課題】
上記のように、従来の柵の基礎はプレキャストコンクリートのブロックとする場合と現場打コンクリートとする場合とがある。ブロックの場合は、柱部材をクサビで仮固定する作業が煩雑であり、更に柱部材を立設した後にモルタルを充填して硬化させなければならないので、作業手間と工期を必要としていた。現場打コンクリートの場合は、型枠の組み立て、コンクリートの打設の作業手間が煩雑であり、コンクリートの硬化を待つ工期も必要であった。
【０００５】
また、ＰＣ擬木であると木製であるとを問わず、差し込み式の柵は、柱部材と横部材とを組み合わせた状態で設置しなければならないので、設置作業が煩雑で施工能率が悪かった。更に、掘削穴の埋め戻しは柱部材と横部材を設置後に行わなければならないので、掘削穴のあいた状態で設置作業を行わなければならないため、作業能率が悪く危険性もあった。なお、柵は差し込み式の他に横部材を柱部材の外側に取り付ける外付け式があるが、差し込み式は外付け式に比べて意匠性、安全性に優れている。
【０００６】
上記従来の差し込み式の柵は、一部の柱部材又は横部材が損傷して取り替える場合、ＰＣ擬木であると木製であるとを問わず、地面を掘り返して基礎を壊し、柱部材を移動しなければならない。また、取り替えた後も基礎を作り直さなければならない。したがって、取り替え作業はきわめて大がかりでコスト高となっていた。
【０００７】
ＰＣ擬木の柵は、部材がコンクリート製であるので重く、また、柱部材と横部材の隙間にモルタル充填しなければならないので、作業能率が悪い。更に、部材がコンクリート製であるので、環境保護に貢献するものではない。
【０００８】
木製の柵は、間伐材を利用できるので、間伐材の需要を増して森林保護に貢献し、部材が軽量で作業しやすく危険性も少ないが、柱部材の根元が地面と接するために腐りやすく耐久性に劣るという問題がある。
【０００９】
本発明は、上記の差し込み式の柵の問題点を改善し、設置作業の容易性、安全性を向上すると共に、一部の柱部材又は横部材の取り替えも容易に低コストででき、また、木製の柱部材が腐りにくい柵を開発することを課題としてなされたものである。
【００１０】
【課題を解決するための手段】
本発明（請求項１）は、上面から連結プレートを立設した基礎ブロックと、下端に前記連結プレートを差し込む切込を有し、中間部に横部材を差し込む孔を有する柱部材と、前記柱部材の孔に挿通して柱部材どうしを連結する棒状の横部材とからなり、前記基礎ブロックを前記連結プレートが地上に露出するように埋設し、前記連結プレートを前記柱部材の切込に差し込んで柱部材を立設し、柱部材の孔に前記横部材を挿通して柱部材どうしを横部材で連結してなることを特徴とする柵である。この場合、柱部材の孔は貫通孔であると非貫通孔であるとを問わない。
【００１１】
柱部材を地面から露出した連結プレートに取り付けるので、柱部材及び横部材を設置する前に掘削穴を埋め戻すことができ、設置作業が容易、安全になる。また、柱部材や横部材の一部を取り替える際、柱部材を連結プレートから取り外すせばよいので、地面を掘り起こしたり、基礎を壊す必要がない。
【００１２】
基礎ブロックは耐久性、重量、経済性に優れたコンクリート製とすることが望ましい。基礎ブロックの形状、大きさは必要な耐力、施工性、生産性を考慮して適宜設計すればよい。連結プレートは強度に優れる金属製とするのが望ましい。連結プレートの巾は柱部材の太さと同じかやや狭くすることが望ましい。柱部材及び横部材は木製とするのが、森林環境の保護の面から、また、施工性の面から望ましい。柱部材は根元が地面に接しないようにできるので、腐りにくく、従来の木製柵に比べて耐久性に優れたものとなる。
【００１３】
横部材を差し込むための柱部材の孔を貫通孔とし、この貫通孔の向きと下端の切込の向きが共に柵の長さ方向となるようにすることができる。このようにすると、横部材を差し込んだまま、柱部材を柵の長さ方向にスライドすることができるので、柱部材と横部材とを組み合わせた状態で設置作業を行う必要がなく、設置作業がより容易となる。また、柱部材や横部材の一部を取り替える際も、柱部材をスライドすることで作業が容易化される。
【００１４】
横部材を差し込むための柱部材の孔を、端部の柱部材においては非貫通孔、中間部の柱部材においては貫通孔とし、これら孔の向きと下端の切込の向きが共に柵の長さ方向となるようにすることができる。このようにすると、上記のように柱部材をスライドすることで設置作業や取り替え作業が容易化される上に、端部の柱に孔が露出しないので、意匠的に優れたものとなる。
【００１５】
基礎ブロックの上面に突出部を形成し、連結プレートをこの突出部上面から上方に向かって立設し、この突出部が地上から露出するように基礎ブロックを埋設することができる。このようにすると、柱部材の下端が確実に地面から離れ、雨で地面に水たまりが出来ても水に浸からないので、柱部材を木製とした場合でも柱部材が腐りにくく、耐久性が向上する。
【００１６】
前記の突出部の水平断面形状は柱部材の水平断面形状とほぼ同じであることが望ましい。ここにおいて「ほぼ同じ」とは、柱部材の下端の平均径が突出部上端の平均径のプラスマイナス２０％以内にあればよく、この程度に同じ形状であれば、柱部材の根元がすっきりとして見栄えが良くなる。
【００１７】
【発明の実施の形態】
図１は本発明の実施形態において例示する基礎ブロック１の説明図である。ブロック本体は３０ｃｍ角の鉄筋コンクリート製の四角柱状で上面に突出部５が一体形成されている。突出部５の上面からは連結プレート４が立設している。連結プレート４は厚さ９ｍｍの鉄板で表面に防錆処理（ユニクロメッキ）が施してある。下部には６ｍｍ径のアンカー鉄筋７を溶接してある。下部はブロック本体に打ち込まれている（ブロック本体製造の際、コンクリートが固まる前に埋め込まれる）。上部にはボルト孔６を２カ所設けている。連結プレートの巾は１００ｍｍで、柱部材の直径（約１５０ｍｍ）よりもやや狭い幅となっている。突出部の直径は１４０ｍｍで、柱部材の直径よりも約７％細くなっている。
【００１８】
図２は本発明の実施形態において例示する柱部材２の説明図である。柱部材２は間伐材を略円柱形状に加工し、防腐防蟻処理を施したもので、下端に直径方向の切込８を有し、中間部に２カ所の孔９（貫通孔）を有する。切込９の向きと孔９の向きは同じ（柵の長さ方向）である。切込８の隙間は１０ｍｍで、連結プレート４の厚さよりもやや広く、孔９の直径は約９４ｍｍで横部材の直径（約９０ｍｍ）よりもやや大きくなっている。また、切込部分には切込８と直角方向にボルト孔１０を２カ所設けてある。このボルト孔１０は前記の連結プレートのボルト孔６に対応する。
【００１９】
図３は本発明の実施形態を例示する柵の正面説明図、図４は同じく断面説明図である。基礎ブロック１は、連結プレート４及び突出部５の一部を地上に露出した状態で、地中に埋設する。このとき、連結プレートの向きは柵の長さ方向を向くようにする。柱部材２は、連結プレート４を柱部材２の切込８に差し込んで地上に立設する。そうすると、孔９の向きは柵の長さ方向を向いて設置される。後述するように、柱部材と連結プレートとはボルトで固定する。中間部の柱部材２は、孔９が貫通孔であり、端部の柱部材２’は孔が非貫通孔となっている。端部の柱部材２’は、中間部の柱部材２とは、孔が非貫通孔である点のみが相違するものである。横部材３は、柱部材の孔９に端部を挿通して柱部材どうしを連結するように設置する。横部材３は、間伐材を丸い棒状に加工し、防腐防蟻処理を施したものである。
【００２０】
図５は本発明の実施形態を例示する柵の基礎ブロック及び柱部材設置の説明図である。（イ）は地面に掘削した掘削穴１２に基礎ブロック１を吊り込むところを示している。掘削穴１２の底には、必要に応じて、砕石地業など適切な地業を施しておく。基礎ブロックの吊り込みは揚重機を使用するなど、適宜の方法で行う。（ロ）は基礎ブロックを設置した状態を示している。掘削穴１２は、基礎ブロック１を設置した後すぐに埋め戻すことが出来るのが本発明の特徴である。全ての基礎ブロックの設置、埋め戻しを柱部材・横部材設置に先行して行うことができる。掘削穴１２を埋め戻すことで柱部材及び横部材の設置作業を容易かつ安全に行うことができる。（ハ）は掘削穴を埋め戻した後に端部の柱部材２’を設置するところを示している。連結プレート４を柱部材２’の切込８に差し込んで柱部材２を地上に立設する。なお、柱部材２’は図のように上方から下方に移動しながら設置してもよいし、横から水平方向に移動しながら設置することもできる。（ニ）はボルト１１で柱部材２’と連結プレート４を固定するところを示している。ボルト１１はボルト孔６、１０に差し込み、ナットで固定する。固定方法はボルト、ナットに限らず、種々の方法を採用することができる。
【００２１】
図６は本発明の前記の柵の横部材及び２本目以降の柱部材設置の説明図である。同図において、柵に使用する全ての基礎ブロックの設置、埋め戻しは既に行ってある。（イ）は、図５の説明で設置した端部の柱部材２’の孔９（非貫通孔）に横部材３の端部を差し込むところを示している。（ロ）は２本目の中間部の柱部材２を設置するところを示している。柱部材は横から水平方向（柵の長さ方向）に移動して、連結プレート４を２本目の柱部材２の切込８に差し込み、横部材３の端部を孔９（貫通孔）に差し込む。（ハ）は２本目の柱部材２を設置し、ボルト・ナットで固定した状態を示している。これを繰り返すことで、横部材及び３本め以降の柱部材を次々に設置していくことができる。柱部材の孔は、端部の柱部材は非貫通孔、中間部の柱部材は貫通孔となっている。
【００２２】
図７は横部材又は柱部材の取り替え作業の説明図である。本発明の柵は、一部の横部材又は柱部材が損傷して取り替える場合でも、地面を掘り返したり基礎を壊すことなく、容易に取り替え作業ができる。同図において（イ）は取り替え作業前の状態を示している。（ロ）は柱部材を固定しているボルトを外して柱部材２をスライドさせた状態を示している。このように、柱部材２は横部材３を差し込んだままで容易にスライドさせることができる。（ハ）（ニ）は横部材３を取り外した状態を示している。この状態から新しい横部材に取り替えて柱部材を元のようにスライドすれば横部材の取り替えができる。（ホ）は柱部材３をスライドさせて取り外したところを示している。この状態から新しい柱部材に取り替えて設置し直すことで、柱部材の取り替えができる。
【００２３】
【発明の効果】
本発明の柵は、設置作業が容易、安全になるばかりでなく、柱部材や横部材の一部を取り替える場合でも、地面を掘り起こしたり、基礎を壊す必要がなく、従来に比べて飛躍的に作業の容易性、安全性が改善され、短期間、低コストで行うことができる。柱部材、横部材を木製とした場合、柱部材の根元が地面に接触することや、水に浸かることを防げるので、柱部材が腐りにくく、耐久性に優れるばかりでなく、間伐材の利用が促進されて森林環境の保護にも貢献するものである。
【図面の簡単な説明】
【図１】基礎ブロック１の説明図である。
【図２】柱部材２の説明図である。
【図３】実施形態の柵の正面説明図である。
【図４】実施形態の柵の断面説明図である。
【図５】本発明の実施形態の柵の基礎ブロック及び柱部材設置の説明図である。
【図６】本発明の実施形態の柵の横部材及び２本目以降の柱部材設置の説明図である。
【図７】横部材又は柱部材の取り替え作業の説明図である。
【図８】従来のＰＣ擬木の柵の説明図である。
【図９】従来のＰＣ擬木の柵の設置方法の説明図である。
【図１０】従来の木製の柵の説明図である。
【符号の説明】
１    基礎ブロック
２    柱部材
３    横部材
４    連結プレート
５    突出部
６    ボルト孔
７    アンカー鉄筋
８    切込
９    孔
１０  ボルト孔
１１  ボルト
１２  掘削穴
２１  基礎ブロック
２２  柱部材
２３  横部材
２４  空所
２５  モルタル
２６  モルタル
２７  クサビ
２８  砕石地業
２９  捨てコンクリート
３１  基礎コンクリート
３２  柱部材
３３  横部材
Ｇ    地面
【図１】
2004339882.tif 000003
【図２】
2004339882.tif 000004
【図３】
2004339882.tif 000005
【図４】
2004339882.tif 000006
【図５】
2004339882.tif 000007
【図６】
2004339882.tif 000008
【図７】
2004339882.tif 000009
【図８】
2004339882.tif 000010
【図９】
2004339882.tif 000011
【図１０】
2004339882.tif 000012